(57)【要約】  燃料電池システムは、原燃料の改質により改質ガスを生成する改質器と、改質ガスと空気との反応により発電する固体酸化物形燃料電池と、固体酸化物形燃料電池に隣接して設けられ、固体酸化物形燃料電池の反応後に残存する改質ガスが集合する燃料集合部と、燃料集合部の外周に沿って形成されている空気通過部と、燃料集合部の燃料吹き出し口から出た改質ガスに空気通過部を流れる空気が混合することで改質ガスが燃焼し、燃料集合部の燃料吹き出し口から出た改質ガスに空気通過部を流れる空気が混合することで改質ガスを燃焼させる燃焼部と、空気通過部から燃焼部への改質器に沿う方向の空気の流れを妨げるように設けられている覆い体と、を備え、燃焼部の燃焼熱を用いて、改質器による原燃料の改質が行われ、覆い体は、燃料集合部の燃料吹き出し口側へ空気を送るように構成されている。
2016181596.tif 000002
【特許請求の範囲】
【請求項１】
原燃料の改質により改質ガスを生成する改質器と、
前記改質ガスと空気との反応により発電する固体酸化物形燃料電池と、
前記固体酸化物形燃料電池に隣接して設けられ、前記固体酸化物形燃料電池の反応後に残存する改質ガスが集合する燃料集合部と、
前記燃料集合部の外周に沿って形成されている空気通過部と、
前記燃料集合部の燃料吹き出し口から出た改質ガスに前記空気通過部を流れる空気が混合することで前記改質ガスを燃焼させる燃焼部と、
前記空気通過部から前記燃焼部への前記改質器に沿う方向の前記空気の流れを妨げるように設けられている覆い体と、を備え、
前記燃焼部の燃焼熱を用いて、前記改質器による前記原燃料の改質が行われ、前記覆い体は、前記燃料集合部の燃料吹き出し口側へ前記空気を送るように構成されている燃料電池システム。
【請求項２】
前記燃焼部の燃焼に使用される空気は、前記固体酸化物形燃料電池から排出されたカソードオフガスである請求項１に記載の燃料電池システム。
【請求項３】
前記覆い体は、前記改質器から前記燃料集合部への向きにおいて鉛直方向下方に傾斜している請求項１又は２に記載の燃料電池システム。
【請求項４】
前記覆い体の上方から前記燃焼部を覆う第１保炎カバーを備える請求項１〜３のいずれかに記載の燃料電池システム。
【請求項５】
前記第１保炎カバーは、前記改質器から前記燃料集合部への向きにおいて鉛直方向上方に傾斜している請求項４に記載の燃料電池システム。
【請求項６】
前記覆い体の上方から前記燃焼部を覆い、前記燃料集合部から突出している第２保炎カバーを備える請求項１〜５のいずれかに記載の燃料電池システム。
【請求項７】
前記覆い体は、前記空気通過部から前記燃焼部への前記空気の吹き出しのための開口部を備え、
前記開口部は、前記燃料吹き出し口の直下に設けられている請求項１〜６のいずれかに記載の燃料電池システム。
【発明の詳細な説明】
【技術分野】
【０００１】
本開示は燃料電池システムに関する。
【背景技術】
【０００２】
従来の燃料電池システムでは、燃料を燃料電池にて発電に使用するだけでなく、燃焼部での燃焼燃料にも使用している。例えば、燃料の全体量に対して燃料電池において発電に使用する燃料の割合を７０〜８０％として（以下、この割合を燃料利用率という）、残りの２０〜３０％の燃料を燃焼部での燃焼燃料に使用することが多い。【０００３】
ところで、最近、電力需要の高まり及び環境問題への関心の高まり等から、燃料電池の発電効率の更なる向上が求められている。燃料電池の発電効率の向上には、燃料電池の発電電圧を上げる方法、燃料電池の燃料利用率を上げる方法等がある。前者の方法は、燃料電池の材料開発が必要となるので、後者の方法が有望視されている。【０００４】
しかし、燃料電池の燃料利用率を更に高くする場合には、燃料電池にて更に多量の改質ガスを発電に使用するため、その増加に伴い燃焼部での燃焼燃料に使用される可燃ガス量が減少する。よって、燃焼部にて未利用の改質ガスを燃焼させる際の酸化剤として、燃料電池を通過したカソードオフガスを用いる場合、可燃ガスの濃度減少による燃焼性の悪化（失火）を招く場合がある。かかる燃焼性の悪化によって、燃焼排ガス中に未燃成分（ＣＯ等）が残存する可能性があるので、その未燃成分の除去等を行うための排ガス処理触媒（浄化触媒）への負担が増大する。【０００５】
なお、可燃ガス量の減少によって燃焼部の発熱量が低下すると、改質器の改質反応に適した温度及び発電電圧に影響を与える燃料電池の温度を維持のための十分な熱量が得られにくくなる。よって、例えば、燃料電池スタックを収容する収容部の断熱性能、燃焼部の燃焼熱を回収する熱交換器等の熱回収性能を向上する必要がある。その結果、燃料電池システムの製造コストのアップ、及びシステム構成の複雑化、更にはシステムの大型化を招く可能性がある。【０００６】
ここで、燃料電池システムにおいて、燃料電池の燃料利用率は、発電効率を決める上で重要なパラメータであるので、発電状態により決定される。それに対して、燃料電池の空気利用率は、発電電圧に影響を与える燃料電池の温度及び温度ムラを最適に制御するために、運転状態や環境温度等によって変化し得る。例えば、燃料電池の燃料利用率を７０％、燃料電池の空気利用率を３５％で運転した場合、燃焼部で希薄燃焼となる。よって、この場合、燃焼部の燃焼性が悪化（例えば、失火等）する可能性が高くなる。【０００７】
そこで、特許文献１では、燃料電池からのカソードオフガスとは異なるフレッシュな空気を最適な空気比に設定して燃焼部に送ることで、燃焼部の燃焼性の悪化を抑制する方法が提案されている。【０００８】
特許文献２では、図５に示す如く、燃料電池システムの燃焼部に、燃料噴出部１８と空気噴出部１９とに亘る状態で通気性及び電気絶縁性を備える多孔体２１を設け、これにより、燃焼部３４の燃焼性の悪化を抑制する方法が提案されている。【０００９】
特許文献３では、図６に示す如く、覆い体１７により、セル９の空気通流部８の横側を閉塞することで、燃焼部の燃焼性の悪化を抑制する方法が提案されている。【００１０】
特許文献４では、燃料電池からの未利用の改質ガス及び空気の混合促進のために、複数の燃料電池を跨ぐように長尺状の部材（渦流発生体）を設け、これにより、燃焼部の燃焼性の悪化を抑制する方法が提案されている。
【先行技術文献】
【特許文献】
【００１１】
【特許文献１】特許公開２０１３−１５７２７４号公報
【特許文献２】特許公開２０１３−２０６６０３号公報
【特許文献３】特許公開２０１３−２２２５９２号公報
【特許文献４】特許公開２０１１−１５０８４２号公報
【発明の概要】
【発明が解決しようとする課題】
【００１２】
しかし、従来例は、固体酸化物形燃料電池から排出される改質ガス及び空気の燃焼部における適切な混合について十分に検討されていない。また、従来例は、このような燃焼部の熱による改質器の適切な加熱についても十分に検討されていない。【００１３】
本開示の一態様（aspect）は、このような事情に鑑みてなされたものであり、固体酸化物形燃料電池の発電効率向上のために燃料利用率を高くする場合に、固体酸化物形燃料電池から排出される改質ガス及び空気の燃焼部における混合を従来よりも適切に行い得る燃料電池システムを提供する。また、このような燃焼部の熱による改質器の加熱を従来よりも適切に行い得る燃料電池システムを提供する。
【課題を解決するための手段】
【００１４】
上記課題を解決するため、本開示の一態様に係る燃料電池システムは、原燃料の改質により改質ガスを生成する改質器と、前記改質ガスと空気との反応により発電する固体酸化物形燃料電池と、前記固体酸化物形燃料電池に隣接して設けられ、前記固体酸化物形燃料電池の反応後に残存する改質ガスが集合する燃料集合部と、前記燃料集合部の外周に沿って形成されている空気通過部と、前記燃料集合部の燃料吹き出し口から出た改質ガスに前記空気通過部を流れる空気が混合することで前記改質ガスを燃焼させる燃焼部と、前記空気通過部から前記燃焼部への前記改質器に沿う方向の前記空気の流れを妨げるように設けられている覆い体と、を備え、前記燃焼部の燃焼熱を用いて、前記改質器による前記原燃料の改質が行われ、前記覆い体は、前記燃料集合部の燃料吹き出し口側へ前記空気を送るように構成されている。
【発明の効果】
【００１５】
本開示の一態様に係る燃料電池システムによれば、以上に説明したように構成され、固体酸化物形燃料電池の発電効率向上のために燃料利用率を高くする場合に、固体酸化物形燃料電池から排出される改質ガス及び空気の燃焼部における混合を従来よりも適切に行い得る。また、このような燃焼部の熱による改質器の加熱を従来よりも適切に行い得る。
【図面の簡単な説明】
【００１６】
【図１】図１は、実施形態に係る燃料電池システムの構成の一例を示す模式図である。
【図２】図２は、実施形態に係る燃料電池システムの燃料集合部の周辺部の一例を示す斜視図である。
【図３】図３は、実施形態に係る燃料電池システムの燃料集合部の周辺部における流体シミュレーション結果の一例を示す図である。
【図４】図４は、実施形態の変形例に係る燃料電池システムの燃料集合部の周辺部の一例を示す図である。
【図５】図５は、従来の燃料電池システムの構成の一例を示す模式図である。
【図６】図６は、従来の燃料電池システムの構成の一例を示す模式図である。
【発明を実施するための形態】
【００１７】
発明者らは、固体酸化物形燃料電池から排出される改質ガス及び空気の燃焼部における適切な混合に関して、従来例の問題点を鋭意検討し、以下の知見を得た。
【００１８】
まず、特許文献１に記載の燃料電池システムでは、フレッシュ空気の経路を新たに形成する必要があるので、燃料電池システムのコストアップ及び収納性が難点となる。
【００１９】
特許文献２に記載の燃料電池システムでは、多孔体２１を追加する必要があるとともに、多孔体２１を固定できる構成以外には適用できないという問題がある。
【００２０】
特許文献３に記載の燃料電池システムでは、空気通流部８の横側に覆い体１７を配置できない構成では適用しにくいという問題がある。
【００２１】
特許文献４に記載の燃料電池システムでは、渦流発生体を配置できない構成では適用しにくいという問題、渦流発生体の耐熱性確保が難点となり得るという問題がある。
【００２２】
そこで、本開示の第１の態様の燃料電池システムは、原燃料の改質により改質ガスを生成する改質器と、改質ガスと空気との反応により発電する固体酸化物形燃料電池と、固体酸化物形燃料電池に隣接して設けられ、固体酸化物形燃料電池の反応後に残存する改質ガスが集合する燃料集合部と、燃料集合部の外周に沿って形成されている空気通過部と、燃料集合部の燃料吹き出し口から出た改質ガスに空気通過部を流れる空気が混合することで改質ガスを燃焼させる燃焼部と、空気通過部から燃焼部への改質器に沿う方向の空気の流れを妨げるように設けられている覆い体と、を備え、燃焼部の燃焼熱を用いて、改質器による原燃料の改質が行われ、覆い体は、燃料集合部の燃料吹き出し口側へ空気を送るように構成されている。
【００２３】
かかる構成によると、固体酸化物形燃料電池の発電効率向上のために燃料利用率を高くする場合に、固体酸化物形燃料電池から排出される改質ガス及び空気の燃焼部における混合を従来よりも適切に行い得る。また、このような燃焼部の熱による改質器の加熱を従来よりも適切に行い得る。
【００２４】
具体的には、固体酸化物形燃料電池からの空気が空気通過部を通過する際に、空気が覆い体により燃料集合部の燃料吹き出し口へと導かれる。そして、燃料吹き出し口からの改質ガスと空気とが混合し、燃焼部で燃焼される。これにより、改質器と燃料集合部の間を空気が燃焼部の燃料燃焼に関与することなく素通りすることを防止できる。また、改質器は、空気通過部を介して燃料集合部と隣接しているので、燃焼部の燃焼熱を適切に改質器に伝熱できる。
【００２５】
以上により、例えば、固体酸化物形燃料電池の発電効率向上のために燃料利用率を高くする場合でも、燃焼部での失火等を起こすことなく燃焼部における燃料燃焼を安定して行うことができる。つまり、燃焼部の発熱量の低下及び燃焼性の悪化を抑制し得る。このため、燃焼排ガス中の未燃焼ガス成分（ＣＯ等）を低減できる。また、燃焼部の燃焼熱を有効に活用することで、燃料集合部に隣接された改質器への加熱を適切に行うことができる。また、燃料電池システムの製造コストのアップを抑え、燃焼部のコンパクトな構成を維持し得る。
【００２６】
本開示の第２の態様の燃料電池システムは、第１の態様の燃料電池システムにおいて、燃焼部の燃焼に使用される空気は、固体酸化物形燃料電池から排出されたカソードオフガスであってもよい。
【００２７】
かかる構成によると、燃焼部へ空気を供給するための装置を別途設ける必要がないので、燃料電池システムを簡素に構成できる。また、燃料電池システムの製造コストを低減できる。
【００２８】
本開示の第３の態様の燃料電池システムは、第１の態様又は第２の態様の燃料電池システムにおいて、覆い体は、改質器から燃料集合部への向きにおいて鉛直方向下方に傾斜していてもよい。
【００２９】
かかる構成によると、覆い体と燃料集合部の上壁部との間の空間を適切に確保できるので、燃料集合部の燃料吹き出し口側への空気送出が容易となる。また、覆い体が燃焼部の火炎を包み込む配置となる。よって、覆い体による燃焼部の保炎効果が得られるので、燃焼部が失火する可能性を低減できる。
【００３０】
本開示の第４の態様の燃料電池システムは、第１の態様、第２の態様及び第３の態様のいずれかの燃料電池システムにおいて、覆い体の上方から燃焼部を覆う第１保炎カバーを備えてもよい。
【００３１】
また、本開示の第５の態様の燃料電池システムは、第４の態様の燃料電池システムにおいて、第１保炎カバーは、改質器から燃料集合部への向きにおいて鉛直方向上方に傾斜していてもよい。
【００３２】
かかる構成によると、第１保炎カバーが燃焼部の火炎を包み込む配置となる。よって、第１保炎カバーによる燃焼部の保炎効果が得られるので、燃焼部が失火する可能性を低減できる。
【００３３】
また、本開示の第６の態様の燃料電池システムは、第１の態様、第２の態様、第３の態様、第４の態様及び第５の態様のいずれかの燃料電池システムにおいて、覆い体の上方から燃焼部を覆い、燃料集合部から突出している第２保炎カバーを備えてもよい。
【００３４】
かかる構成によると、第２保炎カバーが燃焼部の火炎を包み込む配置となる。よって、第２保炎カバーによる燃焼部の保炎効果が得られるので、燃焼部が失火する可能性を低減できる。
【００３５】
また、本開示の第７の態様の燃料電池システムは、第１の態様、第２の態様、第３の態様、第４の態様、第５の態様及び第６の態様のいずれかの燃料電池システムにおいて、覆い体は、空気通過部から燃焼部への空気の吹き出しのための開口部を備え、開口部は、燃料吹き出し口の直下に設けられていてもよい。
【００３６】
かかる構成によると、隣り合う燃料吹き出し口に形成される火炎と火炎の間を空気が通過しにくくなるので、燃焼部の着火点から火炎が全周に火移りしやすくなる。
【００３７】
以下、本開示の実施形態について、図面を参照しながら説明する。なお、以下で説明する実施形態は、いずれも本開示の一具体例を示すものである。以下の実施形態で示される数値、形状、材料、構成要素、構成要素の配置及び接続形態等は、一例であり、本開示を限定するものではない。また、以下の実施形態における構成要素のうち、本開示の最上位概念を示す独立請求項に記載されていない構成要素については、任意の構成要素として説明される。また、図面において、同じ符号が付いたものは、説明を省略する場合がある。また、図面は理解しやすくするために、それぞれの構成要素を模式的に示したもので、形状及び寸法比等については正確な図示ではない場合がある。
【００３８】
（実施形態）
［装置の全体構成］
図１は、実施形態に係る燃料電池システムの構成の一例を示す模式図である。図１では、燃料電池システム１００を側面視した図が示されている。また、便宜上、「上」から「下」に重力が作用するものとし、以下の説明では、上下方向を鉛直方向という場合がある。また、原燃料及び改質ガスの流れを実線、空気の流れを点線、燃焼排ガスの流れを一点鎖線で示している。
【００３９】
図１に示すように、燃料電池システム１００は、改質器４と、固体酸化物形燃料電池２と、燃料集合部９と、原燃料経路１と、改質ガス経路１６と、空気経路１２と、排ガス経路１９と、を備える。
【００４０】
改質器４は、原燃料の改質により改質ガスを生成する。具体的には、改質器４において、原燃料経路１からの原燃料が改質反応して、水素含有の改質ガスが生成される。改質反応は、いずれの形態であってもよく、例えば、水蒸気改質反応、オートサーマル反応及び部分酸化反応等が挙げられる。
【００４１】
図面には示されていないが、各改質反応において必要となる機器は適宜設けられる。例えば、改質反応が水蒸気改質反応であれば、水蒸気を生成する蒸発器、及び蒸発器に水を供給する水供給器が設けられる。改質反応がオートサーマル反応であれば、燃料電池システム１００には、更に、改質器４に空気を供給する空気供給器が設けられる。なお、本実施形態では、原燃料経路１の上流側に、図示しない蒸発部が設けられている。これにより、排ガス経路１９を流れる燃焼排ガスの余熱を利用して改質反応用の水が蒸発され、原燃料経路１を通じて原燃料と水蒸気とが混合されて改質器４へと送られる。
【００４２】
原燃料は、メタンを主成分とする都市ガス、天然ガス、ＬＰＧ等の少なくとも炭素及び水素から構成される有機化合物を含む燃料である。
【００４３】
ここで、改質器４は、鉛直方向の平面視において、燃料集合部９の周囲を囲む環状（例えば、円環状）に形成されている。そして、空気通過部３及び燃焼部３４は、燃料集合部９の外周に沿って形成されている。図１に示すように、本実施形態では、改質器４と燃料集合部９との間に、環状（例えば、円環状）の空気通過部３及び燃焼部３４が形成されている。なお、燃料集合部９の周辺部の詳細については後述する。
【００４４】
以上により、改質器４は、燃焼部３４の熱及び燃焼排ガスの熱により改質反応に適した温度（例えば、約６００〜７００℃程度）にまで加熱されている。
【００４５】
固体酸化物形燃料電池２は、改質ガスと空気との反応により発電する。なお、燃料電池スタックは、例えば、複数の平板型燃料電池及びインターコネクタ等の部材を積層した平板型スタックであってもいいし、複数の円筒型燃料電池（セルチューブ）及びインターコネクタ等の部材をバンドル（束にして固定）した円筒型スタックであってもいい。
【００４６】
ここで、改質器４から出た改質ガスは、中空の板状の改質ガス経路１６において十分に混合された後、固体酸化物形燃料電池２のそれぞれの内部の中空領域へと均等に分配して供給される。これにより、改質ガス経路１６から出た改質ガスが、固体酸化物形燃料電池２のそれぞれの中空領域内を上昇し、固体酸化物形燃料電池２の発電反応に必要な水素（改質ガス）が固体酸化物形燃料電池２に供給される。
【００４７】
一方、固体酸化物形燃料電池２の発電反応に必要な酸素（空気）は、これらとは別のルートを通じて燃料電池スタックへと供給される。具体的には、空気経路１２の上流側に、図示しない空気供給器が設けられている。空気供給器として、例えば、ブロア等を例示できる。空気供給器によって空気経路１２内を圧送される空気は、図示しない適宜のフィルターを通過した後、空気経路１２の下流部へと送られる。なお、このとき、空気経路１２を流れる空気は、排ガス経路１９を流れる燃焼排ガスとの熱交換により加熱される。つまり、本熱交換器５には、排ガス経路１９を構成する流路部材と空気経路１２を構成する流路部材とが通過する。これにより、常温の空気は、約６００℃程度まで加熱される。高温の燃焼排気ガスは、約３００℃程度まで冷却される。なお、燃焼排ガスは、その後、給湯用の温水を生成するための図示しない熱交換器へと送られる。そして、図１に示すように、空気経路１２の下流部は、燃料電池スタックの中央の下端部付近に位置しており、本下流部には、複数の空気出口２３が、空気経路１２を構成する流路部材の周方向にほぼ均等に形成されている。これにより、空気出口２３から出た高温の空気（例えば、約６００〜７００℃程度）が、隣り合う固体酸化物形燃料電池２の隙間を上昇し、固体酸化物形燃料電池２の発電反応に必要な酸素（空気）が固体酸化物形燃料電池２に供給される。
【００４８】
このようにして、以上の改質ガス及び空気の燃料電池スタックでの上昇中において、改質ガス中の水素及び一酸化炭素と空気中の酸素との間で発電反応が起こり、水蒸気と二酸化炭素ガスが生成され、同時に、起電力が生じる。改質ガス中の発電成分（水素及び一酸化炭素）のうち、約６０％〜８０％が発電反応に使用され、約２０％〜４０％の未利用の発電成分は、燃料電池スタックの上方で燃焼される。そして、未利用の改質ガスの燃焼熱が、改質器４の改質反応に利用される。空気中の酸素は、一般的には約３０％が発電反応に使用され、未利用の酸素を含む空気も燃料電池スタックの上方で燃焼される。
【００４９】
ところで、従来構成では、数十〜数百個の固体酸化物形燃料電池のそれぞれの上端部の燃料吹き出し部から未利用の改質ガスが吹き出し、改質ガスを燃焼させている。このため、数個の固体酸化物形燃料電池の燃料吹き出し部において、燃焼部の部分的な失火等で不完全燃焼が起こる場合がある。
【００５０】
そこで、本実施形態では、図１に示すように、固体酸化物形燃料電池２のそれぞれの未利用の改質ガスを燃料集合部９で集合させる構成を取っている。つまり、燃料集合部９は、固体酸化物形燃料電池２に隣接して設けられ、固体酸化物形燃料電池２の反応後に残存する改質ガスが集合する。また、燃焼部３４は、燃料集合部９の燃料吹き出し口１３から出た改質ガスに空気通過部３を流れる空気が混合することで改質ガスを燃焼させる。以下、燃料集合部９の周辺部の構成について説明する。なお、燃焼部３４の燃焼に使用される空気は、図示しない空気供給器によって供給される空気であってもよいし、固体酸化物形燃料電池２から排出されたカソードオフガスであってもよい。本実施形態では、燃焼部３４の燃焼に使用される空気は、固体酸化物形燃料電池２から排出されたカソードオフガスである。これにより、燃焼部３４へ空気を供給するための装置を別途設ける必要がないので、燃料電池システム１００を簡素に構成できる。また、燃料電池システム１００の製造コストを低減できる。
【００５１】
［燃料集合部の周辺部の構成］
図２は、実施形態に係る燃料電池システムの燃料集合部の周辺部の一例を示す斜視図である。図２でも、「上」から「下」に重力が作用するとしている。また、改質ガスの流れを実線、空気の流れを点線で示している。
【００５２】
図１及び図２に示すように、中空の板状（ここでは、円盤状）の燃料集合部９は、固体酸化物形燃料電池２を備える燃料電池スタックの上方に設けられている。そして、上記のとおり、未利用の改質ガスが燃料集合部９で集合するよう、固体酸化物形燃料電池２のそれぞれの内部と燃料集合部９の内部とは連通している。
【００５３】
また、燃料集合部９は、図２に示す如く、鉛直方向において立設する円筒状の側壁部９Ａと、側壁部９Ａの上端部から中央部へ向けて水平に延在する円盤状の蓋部９Ｃと、側壁部９Ａの下端部から外側に延在する円環状の上壁部９Ｂを備える。
【００５４】
そして、数十個の燃料吹き出し口１３（例えば、改質ガスの吹き出しのための開口部である丸孔）が、燃料集合部９の側壁部９Ａの鉛直方向の適所において、周方向にほぼ均等に形成されている。これにより、燃料集合部９内の改質ガスが、燃料吹き出し口１３で再分配されて燃焼部３４へと水平方向に吹き出される。よって、従来構成で発生していた部分的な失火が抑制される。
【００５５】
覆い体８は、空気通過部３から燃焼部３４への改質器４に沿う方向（つまり、鉛直方向）の空気の流れを妨げるように設けられ、燃料集合部９の燃料吹き出し口１３側へ空気を送るように構成されている。
【００５６】
覆い体８は、例えば、円環状のステンレス製の金属板で構成されていて、この金属板の内端部が、上記の上壁部９Ｂの端部と溶接等の適宜の固定手段で固定されている。そして、上壁部９Ｂの近傍における覆い体８の適所に、数十個の空気吹き出し口１４（例えば、空気の吹き出しのための開口部である丸孔）が、複数段（ここでは、２段）に亘り、周方向にほぼ均等に形成されている。これにより、改質器４と燃料集合部９の間を空気が燃焼部３４の燃料燃焼に関与することなく素通りすることを防止できる。つまり、覆い体８は、空気を燃料吹き出し口１３側に所望の流速で空気吹き出し口１４から吹き出させ、空気通過部３を通過する空気の素通りを禁止できる構成となっている。よって、ほぼ全量の空気が燃焼部３４の燃料燃焼に利用され得る。
【００５７】
なお、ここで、上記の覆い体８を用いずに燃料集合部９と改質器４の距離を短くするにより、燃焼部３４の燃料燃焼に空気を適切に関与させることも可能である。しかし、この方法の場合、燃焼部３４の火炎と改質器４（つまり、改質触媒）の距離が短くなり過ぎて、燃焼部３４の火炎の影響で改質触媒を劣化させる可能性がある。また、燃料集合部９と改質器４の距離が短くなると、空気通過部３を通過する空気の流速が速くなり、燃焼部３４の火炎を吹き飛ばす可能性もある。しかしながら、本実施形態では、上記の覆い体８を用いることで、このような可能性を低減できる。
【００５８】
［覆い体の具体例］
以下、覆い体８の具体例について図面を参照しながら説明する。
【００５９】
本例では、改質器４と燃料集合部９の燃料吹き出し口１３との間の距離Ｌ（図１参照）を約３０ｍｍ以上、取っている。これにより、改質器４のステンレス製の容器及び改質触媒が、燃焼部３４の火炎による熱から適切に保護され、改質器４における熱応力の発生も抑制できる。
【００６０】
また、覆い体８は、改質器４から燃料集合部９への向きにおいて鉛直方向下方に傾斜している。本例では、覆い体８は、水平方向を基準に約３０°程度、傾斜している。これにより、燃料集合部９の上壁部９Ｂと覆い体８との間の隙間を適切に確保できるので、燃料集合部９の燃料吹き出し口１３側への空気送出が容易となる。
【００６１】
また、燃焼部３４の火炎は、燃料吹き出し口１３から外向きの斜め上方に形成されるので、水平方向を基準に覆い体８を約３０°程度、傾斜させると、覆い体８が燃焼部３４の火炎を包み込む配置となる。よって、覆い体８による燃焼部３４の保炎効果が得られるので、燃焼部３４が失火する可能性を低減できる。
【００６２】
なお、覆い体８による燃料吹き出し口１３側への空気送出効果は、汎用の熱流体解析ソフト「SCRYU/Tetra（登録商標）」での流体シミュレーション結果でも裏付けられている。
【００６３】
図３は、実施形態に係る燃料電池システムの燃料集合部の周辺部における流体シミュレーション結果の一例を示す図である。図３には、燃料吹き出し口１３及び空気吹き出し口１４の近傍におけるガスの流速分布がコンター図で描かれている。本流体シミュレーションの結果によれば、水平方向を基準に覆い体８を約３０°程度、傾斜させることで、燃焼部３４への空気送出の容易化を図れることを可視化できている。
【００６４】
なお、図２及び図３に示すように、燃料集合部９の上壁部９Ｂについても、燃料集合部９から改質器４への向きにおいて鉛直方向下方に傾斜している。これにより、仮に覆い体を水平に形成する場合でも、燃焼部３４への空気送出を容易に行うことができる。但し、本例の如く、覆い体８及び上壁部９Ｂの両方を傾斜させる方が、燃焼部３４への空気送出の容易化において有利である。
【００６５】
［第１保炎カバー］
以下、第１保炎カバー１０について図面を参照しながら説明する。
【００６６】
図１及び図２に示すように、第１保炎カバー１０は、覆い体８の上方から燃焼部３４を覆っている。また、第１保炎カバー１０は、改質器４から燃料集合部９への向きにおいて鉛直方向上方に傾斜している。
【００６７】
第１保炎カバー１０は、例えば、円環状のステンレス製の金属板で構成されていて、この金属板は、覆い体８で保持され、燃焼部３４を包むように、改質器４から内向きの斜め上方に所定の幅寸法だけ延在（突出）している。
【００６８】
以上により、第１保炎カバー１０が燃焼部３４の火炎を包み込む配置となる。これにより、第１保炎カバー１０による燃焼部３４の保炎効果が得られるので、燃焼部３４が失火する可能性を低減できる。つまり、固体酸化物形燃料電池２の燃料利用率を高くして燃焼部３４の発熱量が減少した場合でも、第１保炎カバー１０により、燃焼部３４の火炎を保炎し、燃焼部３４の失火等の発生を抑制できる。
【００６９】
また、燃焼部３４の何らかの状態変化（例えば、空気拡散の悪化、ガス流量の極端な変更等）の影響で燃焼部３４の火炎が伸長した場合でも、第１保炎カバー１０で、改質器４まで火炎が届かないように改質器４を保護できる。
【００７０】
［第２保炎カバー］
以下、第２保炎カバー１１について図面を参照しながら説明する。
【００７１】
図１及び図２に示すように、第２保炎カバー１１は、覆い体８の上方から燃焼部３４を覆い、燃料集合部９から突出している。
【００７２】
第２保炎カバー１１は、例えば、円環状のステンレス製の金属板で構成されていて、この金属板の内端部は、蓋部９Ｃの外端部と溶接等の適宜の固定手段で固定されている。そして、本金属板は、燃焼部３４を包むように、燃料吹き出し口１３が形成されている側壁部９Ａの上端部から外向きの斜め上方に所定の幅寸法だけ延在（突出）している。
【００７３】
以上により、第２保炎カバー１１が燃焼部３４の火炎を包み込む配置となる。これにより、第２保炎カバー１１による燃焼部３４の保炎効果が得られるので、燃焼部３４が失火する可能性を低減できる。つまり、固体酸化物形燃料電池２の燃料利用率を高くして燃焼部３４の発熱量が減少した場合でも、第２保炎カバー１１により、燃焼部３４の火炎を保炎し、燃焼部３４の失火等の発生を抑制できる。
【００７４】
（変形例）
以下、実施形態の変形例の燃料電池システム１００について図面を参照しながら説明する。図４は、実施形態の変形例に係る燃料電池システムの燃料集合部の周辺部の一例を示す図である。図４（ａ）では、燃料集合部９の周辺部を鉛直方向に平面視した図が示されている。図４（ｂ）では、図４（ａ）のＢ−Ｂの矢視図が示されている。
【００７５】
本変形例では、覆い体８に形成されている複数段の空気吹き出し口１４のうちの燃料集合部９に最も近接する空気吹き出し口１４が、燃料吹き出し口１３の直下に設けられている。なお、図４には、図面を理解しやすくする趣旨で、燃焼部３４が着火した場合の燃料吹き出し口１３に形成される火炎の様子をドット模様で図示し、空気吹き出し口１４については燃料集合部９に最も近接する丸孔のみを図示している。
【００７６】
燃料電池システム１００の起動時における燃焼部３４の着火の場合、又は、燃料電池システム１００の運転中に何らかの状態変化で燃焼部３４の火炎が消えた場合、燃焼部３４が、燃焼条件を満たしていれば、図示しない着火器で燃焼部３４の着火が行われる。なお、着火器として、例えば、ヒーター、点火プラグ等を例示できる。
【００７７】
ここで、仮に隣り合う燃料吹き出し口１３の間に、空気吹き出し口１４を設けた場合、隣り合う燃料吹き出し口１３に形成される火炎と火炎の間を、空気吹き出し口１４からの空気が遮るように上昇するので、両者間の火炎の火移りが困難となり、燃焼部３４の部分失火、或いは着火不良等を招く可能性がある。しかし、本変形例では、上記のとおり、空気吹き出し口１４が、燃料吹き出し口１３の直下に設けられているので、このような可能性を低減できる。つまり、隣り合う燃料吹き出し口１３に形成される火炎と火炎の間を空気が通過しにくくなるので、燃焼部３４の着火点から火炎が全周に火移りしやすくなる。
【００７８】
上記説明から、当業者にとって、本開示の多くの改良や他の実施形態が明らかである。従って、上記説明は、例示としてのみ解釈されるべきであり、本開示を実行する最良の態様を当業者に教示する目的で提供されたものである。本開示の精神を逸脱することなく、その構造及び／又は機能の詳細を実質的に変更できる。
【産業上の利用可能性】
【００７９】
本開示の一態様によれば、固体酸化物形燃料電池の発電効率向上のために燃料利用率を高くする場合に、固体酸化物形燃料電池から排出される改質ガス及び空気の燃焼部における混合を従来よりも適切に行い得る。よって、本開示の一態様は、例えば、燃料電池システムに利用できる。
【符号の説明】
【００８０】
１      ：原燃料経路
２      ：固体酸化物形燃料電池
３      ：空気通過部
４      ：改質器
５      ：熱交換器
８      ：覆い体
９      ：燃料集合部
９Ａ    ：側壁部
９Ｂ    ：上壁部
９Ｃ    ：蓋部
１０    ：第１保炎カバー
１１    ：第２保炎カバー
１２    ：空気経路
１３    ：燃料吹き出し口
１４    ：空気吹き出し口
１６    ：改質ガス経路
１９    ：排ガス経路
２３    ：空気出口
３４    ：燃焼部
１００  ：燃料電池システム
【図１】
2016181596.tif 000003
【図２】
2016181596.tif 000004
【図３】
2016181596.tif 000005
【図４】
2016181596.tif 000006
【図５】
2016181596.tif 000007
【図６】
2016181596.tif 000008
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
原燃料の改質により改質ガスを生成する改質器と、
前記改質ガスと空気との反応により発電する固体酸化物形燃料電池と、
前記固体酸化物形燃料電池に隣接して設けられ、前記固体酸化物形燃料電池の反応後に残存する改質ガスが集合する燃料集合部と、
前記固体酸化物形燃料電池から排出されたカソードオフガスが流通する空気通過部と、
前記燃料集合部の燃料吹き出し口から出た改質ガスに前記カソードオフガスが混合することで前記改質ガスを燃焼させる燃焼部と、
前記空気通過部から前記燃焼部へ前記改質器に沿って流れる前記カソードオフガスの流れを妨げるように設けられている覆い体と、を備え、
前記燃焼部の燃焼熱を用いて、前記改質器による前記原燃料の改質が行われ、前記覆い体は、前記燃料集合部の燃料吹き出し口側へ前記カソードオフガスを送るように構成されている燃料電池システム。
【請求項２】
前記改質器は、前記燃料集合部の周囲を囲む環状に設けられ、
前記空気通過部は、前記改質器と前記燃料集合部との間に、前記燃料集合部の外周に沿って、環状に設けられており、
前記燃料吹き出し口は、前記燃料集合部の側壁部に設けられている請求項１に記載の燃料電池システム。
【請求項３】
前記覆い体は、前記改質器から前記燃料集合部への向きにおいて鉛直方向下方に傾斜している請求項１又は２に記載の燃料電池システム。
【請求項４】
前記覆い体の上方から前記燃焼部を覆う第１保炎カバーを備える請求項１〜３のいずれかに記載の燃料電池システム。
【請求項５】
前記第１保炎カバーは、前記改質器から前記燃料集合部への向きにおいて鉛直方向上方に傾斜している請求項４に記載の燃料電池システム。
【請求項６】
前記覆い体の上方から前記燃焼部を覆い、前記燃料集合部から突出している第２保炎カバーを備える請求項１〜５のいずれかに記載の燃料電池システム。
【請求項７】
前記覆い体は、前記空気通過部から前記燃焼部への前記カソードオフガスの吹き出しのための開口部を備え、
前記開口部は、前記燃料吹き出し口の直下に設けられている請求項１〜６のいずれかに記載の燃料電池システム。
【請求項８】
前記カソードオフガスの吹き出しのための複数の空気吹き出し口は、前記覆い体の前記燃料集合部に近い側に設けられている請求項１〜６のいずれかに記載の燃料電池システム。
【請求項９】
前記改質器と前記燃料吹き出し口との間の距離は、３０ｍｍ以上である請求項１〜８のいずれかに記載の燃料電池システム。
【国際調査報告】
2016181596.tif 000009
2016181596.tif 000010
2016181596.tif 000011
2016181596.tif 000012